(57)【要約】【課題】  フラットディスプレイ用の電気光学装置が外装部材で覆われた状態にあっても、その製造履歴を非破壊で容易に追跡することのできるディスプレイモジュールを提供すること。【解決手段】  ディスプレイモジュール１において、外装部材２００の内側には、電気光学装置１００とバックライト装置６０とが重ねて配置されており、電気光学装置１００で表示された画像は、外装部材２００の上面開口２１０から見ることができる。第１の基板１０には、第２の基板２０の外周縁からの張り出し領域１１に無線式のＩＤタグチップ２が実装され、このＩＤタグチップ２の高さ寸法は、第２の基板２０の厚さ寸法以下、例えば、１ｍｍ以下である。また、第１の基板１０の張り出し領域１１には、ＩＤタグチップ２に接続するアンテナ配線３が形成された可撓性基板４が接続されている。【選択図】  図１
2005062628.tif 000002
【特許請求の範囲】
【請求項１】
少なくとも、フラットディスプレイ用の電気光学装置と、該電気光学装置を覆う外装部材とを有するディスプレイモジュールにおいて、
前記外装部材の内側に無線式のＩＤタグ機能を有する回路が配置されていることを特徴とするディスプレイモジュール。
【請求項２】
請求項１において、前記電気光学装置は、第１の基板と第２の基板とを対向させて貼り合わせたパネル構造を備え、
前記第１の基板において、前記第２の基板の外周縁からの張り出し領域の当該第２の基板が位置する表面側に前記ＩＤタグ機能を有する回路を搭載したＩＣチップが配置されていることを特徴とするディスプレイモジュール。
【請求項３】
請求項１において、前記電気光学装置は、第１の基板と第２の基板とを対向させて貼り合わせたパネル構造を備え、
前記第１の基板において、前記第２の基板の外周縁からの張り出し領域の当該第２の基板が位置する表面側に可撓性基板が接続されているとともに、前記第１の基板の当該張り出し領域の表面側に前記ＩＤタグ機能を有する回路を搭載したＩＣチップが配置されていることを特徴とするディスプレイモジュール。
【請求項４】
請求項１において、前記電気光学装置は、第１の基板と第２の基板とを対向させて貼り合わせたパネル構造を備え、
前記第１の基板において、前記第２の基板の外周縁からの張り出し領域の当該第２の基板が位置する表面側に可撓性基板が接続されているとともに、当該可撓性基板上に前記ＩＤタグ機能を有する回路を搭載したＩＣチップが搭載されていることを特徴とするディスプレイモジュール。
【請求項５】
請求項１において、前記電気光学装置は、第１の基板と第２の基板とを対向させて貼り合わせたパネル構造を備え、
前記第１の基板において、前記第２の基板の外周縁からの張り出し領域の当該第２の基板が位置する表面側に駆動用ＩＣチップが実装されているとともに、前記第１の基板の当該張り出し領域の表面側に前記ＩＤタグ機能を有する回路を搭載したＩＣチップが配置されていることを特徴とするディスプレイモジュール。
【請求項６】
請求項１において、前記外装部材の内側表面に前記ＩＤタグ機能を有する回路を搭載したＩＣチップが配置されていることを特徴とするディスプレイモジュール。
【請求項７】
請求項１ないし６のいずれかにおいて、前記ＩＤタグ機能を有する回路を搭載したＩＣチップは、樹脂により被覆されていることを特徴とするディスプレイモジュール。
【請求項８】
請求項３において、前記可撓性基板と前記第１の基板との接続部分、および前記ＩＤタグ機能を有する回路を搭載したＩＣチップは、同一の樹脂で被覆されていることを特徴とするディスプレイモジュール。
【請求項９】
請求項５において、前記駆動用ＩＣチップ、および前記ＩＤタグ機能を有する回路を搭載したＩＣチップは、同一の樹脂で被覆されていることを特徴とするディスプレイモジュール。
【請求項１０】
請求項２、３または５において、前記ＩＤタグ機能を有する回路を搭載したＩＣチップの高さ寸法は、前記第２の基板の厚さ寸法以下であることを特徴とするディスプレイモジュール。
【請求項１１】
請求項１において、前記電気光学装置は、第１の基板と第２の基板とを対向させて貼り合わせたパネル構造を備え、前記ＩＤ機能を有する回路を第１の基板上に形成されてなることを特徴とするディスプレイモジュール。
【請求項１２】
請求項１ないし１１のいずれかにおいて、前記電気光学装置には、この装置固有の識別番号を表すマークが付されており、
前記ＩＤタグ機能を有する回路には、前記マークが表す情報の少なくとも一部が記録されていることを特徴とするディスプレイモジュール。
【請求項１３】
請求項１ないし１２のいずれかにおいて、前記電気光学装置は、前記ＩＤタグ機能を有する回路に接続されたアンテナ線を備えていることを特徴とするディスプレイモジュール。
【請求項１４】
請求項１３において、前記アンテナ線は、前記電気光学装置の外周縁に沿って配置されていることを特徴とするディスプレイモジュール。
【請求項１５】
請求項１ないし１４のいずれかにおいて、前記ＩＤタグ機能を有する回路に接続されたアンテナ線は、前記電気光学装置と別の部材に形成されていることを特徴とするディスプレイモジュール。
【請求項１６】
請求項１３から１５において、前記外装部材の前記アンテナ線が配置された部位と重なる部位は少なくともその一部が非導電性であることを特徴とするディスプレイモジュール。
【請求項１７】
請求項１５において、前記アンテナ線は少なくともその一部が外装部材によって覆われていないことを特徴とするディスプレイモジュール。
【請求項１８】
請求項１ないし１７のいずれかにおいて、前記電気光学装置では、電気光学物質として液晶が用いられていることを特徴とするディスプレイモジュール。
【請求項１９】
請求項１ないし１７のいずれかにおいて、前記電気光学装置では、電気光学物質として有機エレクトロルミネッセンス材料が用いられていることを特徴とするディスプレイモジュール。
【請求項２０】
請求項１ないし１９のいずれかに規定するディスプレイモジュールを用いたことを特徴とする電子機器。
【発明の詳細な説明】
【技術分野】
【０００１】
本発明は、フラットディスプレイ用の電気光学装置が外装部材で覆われたディスプレイモジュール、およびそれを用いた電子機器に関するものである。さらに詳しくは、電気光学装置の製造履歴などを追跡可能とするＩＤタグの付与技術に関するものである。
【背景技術】
【０００２】
携帯電話機、モバイルコンピュータなどに搭載されるディスプレイモジュールでは、一般に、図７（Ａ）、（Ｂ）に示すように、液晶装置などのフラットディスプレイ用の電気光学装置１００が外装部材２００で覆われた構造になっている、外装部材２００の内側には、電気光学装置１００とバックライト装置６０とが重ねて配置されており、電気光学装置１００で表示された画像は、外装部材２００の上面開口２１０から見ることができる。
【０００３】
ここに示す電気光学装置１００は、透明な第１の基板１０と第２の基板２０とを対向させて貼り合わせたパネル構造を備えており、第１の基板１０と第２の基板２０との間には、液晶などの電気光学物質が保持されている。第１の基板１０、および第２の基板２０において、互いに対向する側の面（表面）には、電気光学物質を駆動するための電極が形成されており、各電極に所定の信号を印加することにより、第１の基板１０と第２の基板２０において電気光学物質を画素毎に駆動し、画像を表示する。
【０００４】
第１の基板１０と第２の基板２０は、第１の基板１０が第２の基板２０の外周縁から張り出すように貼り合わされ、この張り出し領域１１において、第２の基板２０が位置する表面側には、可撓性基板３１、３２、３３が接続される。可撓性基板３１、３２、３３には、駆動用ＩＣチップ（図示せず）が実装され、この駆動用ＩＣから各電極への信号供給が行われる。
【０００５】
なお、第１の基板１０の張り出し領域１１に対して駆動用ＩＣチップが実装される場合があるが、この場合でも、駆動用ＩＣチップへの電源供給のために可撓性基板が第１の基板１０の張り出し領域１１に接続される。また、第１の基板１０に対して、画素スイッチング用の非線形素子としてＴＦＴ（薄膜トランジスタ）が形成される場合には、ＴＦＴによって、第１の基板１０に駆動回路が形成されることがあるが、このような場合にも、駆動回路への電源供給のために可撓性基板が接続される。
【０００６】
このようなディスプレイモジュール１を製造するにあたって、製造中あるいが出荷後に不具合が発生した場合でも製造履歴を正確に追跡可能になっている必要がある。そのため、従来は、例えば、図８に示すように、第１の基板１０を多数取りできる大型基板１０ａの状態で半導体プロセスを利用して画素スイッチング素子や配線、電極などを形成する際、フォトリソグラフィ技術あるいはレーザーマーキング技術によって、第１の基板１０として切り出される領域に二次元バーコード５０、一次元バーコード、ＯＣＲ用文字などを付すようにしている（例えば、特許文献１参照）。
【特許文献１】特開平１０−４０４０号公報
【発明の開示】
【発明が解決しようとする課題】
【０００７】
しかしながら、二次元コード５０は光学式に読み取る構成であるため、電気光学装置１００を外装部材２００で覆ってディスプレイモジュール１に組み立ててしまった状態では、外装部材２００、バックライト装置６０、可撓性基板３１、３２、３３などを取り外さないと、二次元コード５０を読み取ることができない。また、微細な二次元バーコード５０を読み取るには、拡大光学系を備えた設備が必要であり、かつ、読み取りに時間もかかるため、ディスプレイモジュール１を組み立てた後、特定の履歴のものを選別するなどといった用途には不適である。しかも、電気光学装置１００は年々、画像を表示する領域１２の外周部分１３（額縁）を狭くすることが求められているため、二次元バーコード５０を残しておける面積を確保できなくなりつつある。
【０００８】
以上の問題点に鑑みて、本発明の課題は、フラットディスプレイ用の電気光学装置が外装部材で覆われた状態にあっても、その製造履歴を非破壊で容易に追跡することのできるディスプレイモジュールを提供することにある。
【課題を解決するための手段】
【０００９】
上記課題を解決するために、本発明では、少なくとも、フラットディスプレイ用の電気光学装置と、該電気光学装置を覆う外装部材とを有するディスプレイモジュールにおいて、前記外装部材の内側に無線式のＩＤタグ機能を有する回路が配置されていることを特徴とする。より具体的にはＩＤタグ機能を有する回路を搭載したＩＣチップ（以下、ＩＤタグチップと称するが、ＩＣタグ、無線タグ、電子タグなどとも呼称される）を前記外装部材の内側に実装するか、あるいは該電気光学装置上に薄膜プロセスでもってＩＤタグ機能を有する回路が形成されたことを特徴とする。
【００１０】
本発明において、前記電気光学装置は、第１の基板と第２の基板とを対向させて貼り合わせたパネル構造を備えている場合があり、このような場合、前記第１の基板において、前記第２の基板の外周縁からの張り出し領域の当該第２の基板が位置する表面側に前記ＩＤタグチップを配置すればよい。
【００１１】
また、本発明において、前記電気光学装置は、第１の基板と第２の基板とを対向させて貼り合わせたパネル構造を備え、前記第１の基板において、前記第２の基板の外周縁からの張り出し領域の当該第２の基板が位置する表面側に可撓性基板が接続されている場合には、前記第１の基板の当該張り出し領域の表面側に前記ＩＤタグチップを配置すればよい。
【００１２】
ここで、前記可撓性基板と前記第１の基板との接続部分、および前記ＩＤタグチップは、同一の樹脂で被覆されていることが好ましい。すなわち、ＩＤタグチップを被覆する樹脂で可撓性基板と第１の基板との接続部分を被覆しておけば、１回の樹脂被覆で前記可撓性基板と前記第１の基板との接続部分、および前記ＩＤタグチップの双方の信頼性を向上することができる。
【００１３】
本発明において、前記電気光学装置は、第１の基板と第２の基板とを対向させて貼り合わせたパネル構造を備え、前記第１の基板において、前記第２の基板の外周縁からの張り出し領域の当該第２の基板が位置する表面側に可撓性基板が接続されている場合には、この可撓性基板上に前記ＩＤタグチップを搭載してもよい。
【００１４】
本発明において、前記電気光学装置は、第１の基板と第２の基板とを対向させて貼り合わせたパネル構造を備え、前記第１の基板において、前記第２の基板の外周縁からの張り出し領域の当該第２の基板が位置する表面側に駆動用ＩＣチップが実装されている場合には、前記第１の基板の当該張り出し領域の表面側に前記ＩＤタグチップを配置してよい。
【００１５】
ここで、前記駆動用ＩＣチップ、および前記ＩＤタグチップは、同一の樹脂で被覆されていることが好ましい。すなわち、前記ＩＤタグチップを被覆する樹脂で駆動用ＩＣチップを被覆しておけば、１回の樹脂被覆で前記駆動用ＩＣチップ、および前記ＩＤタグチップの双方の信頼性を向上することができる。
【００１６】
本発明において、前記ＩＤタグチップを前記外装部材の内側表面に配置してよい。
【００１７】
本発明において、前記電気光学装置は、第１の基板と第２の基板とを対向させて貼り合わせたパネル構造を備え、前記ＩＤタグチップを前記第１の基板表面に形成してよい。
【００１８】
本発明のいずれの形態においても、前記ＩＤタグチップは、樹脂により被覆されて保護されていることが好ましい。
【００１９】
本発明において、前記電気光学装置は、第１の基板と第２の基板とを対向させて貼り合わせたパネル構造を備え、前記第１の基板において、前記第２の基板の外周縁からの張り出し領域の表面側にＩＤタグチップが搭載されている場合には、当該ＩＤタグチップの高さ寸法は、前記第２の基板の厚さ寸法以下、例えば、０．７ｍｍ以下であることが好ましい。このように構成すると、第１の基板にＩＤタグチップを搭載しても電気光学装置全体としてみた場合、厚さ寸法が大きくなることがない。
【００２０】
本発明において、前記電気光学装置には、この装置固有の識別番号を表すマークが付されており、前記ＩＤタグチップには、前記マークが表す識別番号の少なくとも一部の情報が記録されていることが好ましい。すなわち、従来の二次元バーコードなどを併用してもよく、この場合、二次元バーコードなどが有する情報の少なくとも一部をＩＤタグチップに記録しておくことが好ましい。このように構成すると、ディスプレイモジュールの製造工程において、ＩＤタグチップが付される前までは、二次元バーコードで製造履歴を追跡可能とし、その後、ＩＤタグチップが付した以降は、このＩＤタグチップに記憶されている情報により製造履歴を追跡可能としておくことが好ましい。
【００２１】
本発明において、前記ＩＤタグチップに接続されるアンテナ線には、前記電気光学装置に形成した構成を採用でき、この場合、前記アンテナ線は、前記電気光学装置の外周縁に沿って配置されていることが好ましい。このように構成すると、アンテナ感度を向上することができる。
【００２２】
本発明において、前記ＩＤタグチップに接続されるアンテナ線は、前記電気光学装置と別の部材に形成されている構成を採用してもよい。
【００２３】
本発明において、前記外装部材の前記ＩＤタグチップに接続されるアンテナ線と重なる部位は少なくとも一部が非導電性であってもよい。また、前記ＩＤタグチップに接続されるアンテナ線は少なくとも一部が前記外装部材の外側に配置されていても良い。このように構成すると、アンテナ感度をシールド効果により低減させることがない。
【００２４】
本発明において、前記電気光学装置は、例えば、電気光学物質として液晶が用いられた液晶装置、電気光学物質として有機エレクトロルミネッセンス材料が用いられたエレクトロルミネッセンス装置である。
【００２５】
本発明を適用したディスプレイモジュールは、携帯電話機やモバイルコンピュータなどといった電子機器に用いられる。
【発明の効果】
【００２６】
本発明では、外装部材の内側に無線式のＩＤタグチップが配置されており、このＩＤタグチップによれば、それが記憶をする情報を無線で読み出すため、電気光学装置を外装部材で覆ってディスプレイモジュールに組み立ててしまった状態でも、電気光学装置の履歴を追跡する際、外装部材などを取り外す必要がない。また、拡大光学系を備えた設備が不要であり、かつ、短時間で情報を読み取ることができる。このため、ディスプレイモジュールを組み立てた後、特定の履歴のものを選別するなどといった作業も非破壊で容易に、かつ、効率よく行うことができる。また、ＩＤタグチップであれば、電気光学装置自身に限らず、電気光学装置に接続した可撓性基板上にも実装できるなど、配置箇所への制約が小さい。それ故、電気光学装置の画像を表示する領域の外周部分（額縁）が狭くなった場合でも、ＩＤタグチップであれば、ディスプレイモジュール内に搭載することができる。
【発明を実施するための最良の形態】
【００２７】
図面を参照して、本発明の実施の形態を説明する。なお、以下に説明する各実施の形態に係るディスプレイモジュールは、基本的な構成が図８を参照して説明したものと共通しているので、対応する部分は同一の符号を付して説明する。
【００２８】
［実施の形態１］
（全体構成）
図１（Ａ）、（Ｂ）は、本発明の実施の形態１に係るディスプレイモジュールの平面的な構成を模式的に示す説明図、およびその縦断面を模式的に示す説明図である。図２は、本形態のディスプレイモジュールに用いた電気光学装置（液晶装置）の画像表示領域を構成するためにマトリクス状に形成された複数の画素における各種素子、配線などの等価回路図である。
【００２９】
図１（Ａ）、（Ｂ）において、本形態のディスプレイモジュール１は、電気光学装置１００（フラットディスプレイ用電気光学装置）が外装部材２００で覆われた構造になっている。外装部材２００の内側には、電気光学装置１００とバックライト装置６０とが重ねて配置されており、電気光学装置１００で表示された画像は、外装部材２００の上面開口２１０から見ることができる。
【００３０】
ここで、電気光学装置１００は、透明な第１の基板１０と第２の基板２０とを対向させて貼り合わせたパネル構造を備えた液晶装置であり、第１の基板１０と第２の基板２０との間には、液晶（電気光学物質）が保持されている。また、第１の基板１０、および第２の基板２０において、互いに対向する側の面（表面）には、電気光学物質を駆動するための電極が形成されており、各電極に所定の信号を印加することにより、第１の基板１０と第２の基板２０において電気光学物質を画素毎に駆動し、画像を表示する。
【００３１】
すなわち、図２に示すように、電気光学装置１００の第１の基板１０では、マトリクス状に形成された複数の画素１００ａの各々に、画素電極９ａ、および画素電極９ａを制御するための画素スイッチング用のＴＦＴ３０が形成されており、画素信号を供給するデータ線６ａが当該ＴＦＴ３０のソースに電気的に接続されている。データ線６ａに書き込む画素信号Ｓ１、Ｓ２・・・Ｓｎは、この順に線順次に供給する。また、ＴＦＴ３０のゲートには走査線３ａが電気的に接続されており、所定のタイミングで、走査線３ａにパルス的に走査信号Ｇ１、Ｇ２・・・Ｇｍを、この順に線順次で印加するように構成されている。画素電極９ａは、ＴＦＴ３０のドレインに電気的に接続されており、スイッチング素子であるＴＦＴ３０を一定期間だけそのオン状態とすることにより、データ線６ａから供給される画素信号Ｓ１、Ｓ２・・・Ｓｎを各画素に所定のタイミングで書き込む。このようにして画素電極９ａを介して液晶に書き込まれた所定レベルの画素信号Ｓ１、Ｓ２、・・・Ｓｎは、第２の基板２０に形成された対向電極との間で一定期間保持される。それにより、液晶は所定の配向状態に制御され、表示光を光変調する。
【００３２】
ここで、保持された画素信号がリークするのを防ぐことを目的に、画素電極９ａと対向電極との間に形成される液晶容量と並列に蓄積容量７０（キャパシタ）を付加することがある。この蓄積容量７０によって、画素電極９ａの電圧は、例えば、ソース電圧が印加された時間よりも３桁も長い時間だけ保持される。これにより、電荷の保持特性は改善され、コントラスト比の高い表示を行うことのできる電気光学装置が実現できる。なお、蓄積容量７０を形成する方法としては、容量を形成するための配線である容量線３ｂとの間に形成する場合、あるいは前段の走査線３ａとの間に形成する場合もいずれであってもよい。
【００３３】
再び図１（Ａ）、（Ｂ）において、第１の基板１０と第２の基板２０は、第１の基板１０が第２の基板２０の外周縁から張り出すように貼り合わされ、この張り出し領域１１において、第２の基板２０が位置する表面側には、可撓性基板３１、３２、３３が接続される。可撓性基板３１、３２、３３には、駆動用ＩＣチップ（図示せず）が実装され、この駆動用ＩＣから各電極への信号供給が行われる。
【００３４】
本形態では、ディスプレイモジュール１を製造するにあたって、製造中に不具合が発生した場合でも製造履歴を正確に追跡可能とすることを目的に、図８を参照して説明したように、第１の基板１０を多数取りできる大型基板１０ａの状態で半導体プロセスを利用して画素スイッチング用のＴＦＴや配線、電極などを形成する際、フォトリソグラフィ技術によって、第１の基板１０として切り出される領域に二次元バーコード５０などを付してある。このため、電気光学装置１において、画像を表示する領域１２の外側に二次元バーコード５０が付されているが、この二次元バーコード５０は、外装部材２００で覆われている。
【００３５】
また、本形態のディスプレイモジュール１において、第１の基板１０には、第２の基板２０の外周縁からの張り出し領域１１において、第２の基板２０が位置する表面側には、無線式のＩＤタグチップ２（ＲＦＩＤタグチップ）が実装され、このＩＤタグチップ２の高さ寸法は、第２の基板２０の厚さ寸法以下、例えば、０．７ｍｍ以下である。従って、第１の基板１０にＩＤタグチップ２を搭載しても電気光学装置１００全体からみた場合、厚さ寸法が大きくなることがない。
【００３６】
ここで、ＩＤタグチップ２には、二次元コード５０が表す情報の少なくとも一部も記録されている。例えば、ＩＤタグチップ２を第１の基板１０上に実装する工程で二次元バーコード５０を読み取り、その内容の一部又は全てをＩＤタグチップ２に書き込めばよい。
【００３７】
また、第１の基板１０の張り出し領域１１には、ＩＤタグチップ２に接続するアンテナ配線３が形成された可撓性基板４が接続されている。さらにアンテナ配線３と重なる部位の外装部材２００の材質は少なくとも一部が非導電性であることが望ましい。あるいはアンテナ配線３の少なくとも一部は外装部材２００によって覆われていない構成としても良い。このような構成により、アンテナの感度を低下させることがない。
【００３８】
さらに、本形態では、その塗布領域を斜線で示すように、可撓性基板３２において、第１の基板１０との接続領域には、エポキシ系の保護用樹脂５が塗布されており、この保護用樹脂５は、ＩＤタグチップ２も覆っている。
【００３９】
（本形態の効果）
このように、本形態のディスプレイモジュール１では、外装部材２００の内側に無線式のＩＤタグチップ２が配置されており、このＩＤタグチップ２によれば、それが記憶する情報を無線で読み出すことができる。このため、電気光学装置１００を外装部材２００で覆ってディスプレイモジュール１に組み立ててしまった状態で、ＩＤタグチップ２が外装部材２００で覆われていた場合でも、電気光学装置１の履歴を追跡する際に外装部材２００などを取り外す必要がない。
【００４０】
また、ＩＤタグチップ２であれば、拡大光学系を備えた設備が不要であり、かつ、短時間で情報を読み取ることができる。このため、ディスプレイモジュール１を組み立てた後、特定の履歴のものを選別するなどといった作業も容易に、かつ、効率よく行うことができる。
【００４１】
また、ＩＤタグチップ２であれば、配置箇所への制約が小さい。それ故、電気光学装置１００の画像を表示する領域の外周部分１３（額縁）が狭くなった場合でも、ＩＤタグチップ２をディスプレイモジュール１内に搭載することができる。
【００４２】
さらに、ＩＤタグチップ２の種類によっては、多数のディスプレイモジュール１を梱包した状態のまま、各ディスプレイモジュール１の情報を読み出すことができる。さらに物流過程でＩＤタグチップ２に情報を書き込めば、製造工程および物流に関する個別管理を行うことができる。さらなる応用として、例えば出荷前検査での良品・不良品選別時に従来のように結果を１モジュールごとに記録あるいは入力することなく、良品あるいは不良品別に箱に分別し、箱ごとまとめてＩＤタグを読み取る事で、一括して検査結果をデータベースへ記録することもできる。
【００４３】
ここで、電気光学装置１００の製造には、半導体プロセスが利用され、各種の成膜処理、エッチング、熱処理が行われる。このため、ＩＤタグチップ２については、電気光学装置１００が組み上がった以降、搭載されることになる。しかる本形態では、電気光学装置１００（第１の基板１０）には、第１の基板１０を製造する際に二次元バーコード５０が付されているため、ディスプレイモジュール１の製造工程において、ＩＤタグチップ２が付される前までは、二次元バーコード５０で製造履歴を追跡できる。
【００４４】
また、ＩＤタグチップ２には、二次元コード５０が表す識別番号の一部又は全ての情報も記録されているため、ＩＤタグチップ２が付した以降は、このＩＤタグチップ２に記憶されている情報により、第１の基板１０の製造履歴を追跡することもできる。それ故、二次元バーコード５０については、外装部材２００で覆われる位置に形成してもよいし、製造途中で額縁サイズを切り詰めるために切り取ってしまっても差し支えない。
【００４５】
また、ＩＤタグチップ２をエポキシ系の保護用樹脂５でモールドする際、可撓性基板３２と第１の基板１０との接続領域も保護用樹脂５で被覆しているので、１回の樹脂被覆で、可撓性基板３２と第１の基板１０との接続部分、およびＩＤタグチップ２の双方について信頼性を向上することができる。
【００４６】
［実施の形態２］
図３（Ａ）、（Ｂ）は、本発明の実施の形態２に係るディスプレイモジュールの平面的な構成を模式的に示す説明図、およびその縦断面を模式的に示す説明図である。
【００４７】
図３（Ａ）、（Ｂ）において、本形態のディスプレイモジュール１も、実施の形態１と同様、電気光学装置１００が外装部材２００で覆われた構造になっている。外装部材２００の内側には、電気光学装置１００とバックライト装置６０とが重ねて配置されており、電気光学装置１００で表示された画像は、外装部材２００の上面開口２１０から見ることができる。
【００４８】
電気光学装置１００は、透明な第１の基板１０と第２の基板２０とを対向させて貼り合わせたパネル構造を備えており、第１の基板１０の第２の基板２０からの張り出し領域１１において、第２の基板２０が位置する表面側には、可撓性基板３１、３２、３３が接続されている。また、第１の基板１０には、第１の基板１０の製造履歴を表す二次元バーコード５０が付されている。
【００４９】
また、第１の基板１０には、第２の基板２０の外周縁からの張り出し領域１１において、第２の基板２０が位置する表面側には、無線式のＩＤタグチップ２が実装され、このＩＤタグチップ２の高さ寸法は、第２の基板２０の厚さ寸法以下、例えば、１ｍｍ以下である。従って、第１の基板１０にＩＤタグチップ２を搭載しても電気光学装置１００全体からみた場合、厚さ寸法が大きくなることがない。
【００５０】
ここで、ＩＤタグチップ２には、二次元コード５０が表す識別番号の少なくとも一部の情報も記録されている。
【００５１】
また、第１の基板１０には、その外周縁に沿って、ＩＤタグチップ２に接続するアンテナ配線３が形成されている。このようなアンテナ配線３は、第１の基板１０に対してフォトリソグラフィプロセスを利用して、薄膜配線などの構成要素を形成する際、同時形成された金属膜である。
【００５２】
さらに、本形態では、その塗布領域を斜線で示すように、可撓性基板３２において、第１の基板１０との接続領域には、エポキシ系の保護用樹脂５が塗布されており、この保護用樹脂５は、ＩＤタグチップ２も覆っている。
【００５３】
このように構成したディスプレイモジュール１では、外装部材２００の内側に無線式のＩＤタグチップ２が配置されており、このＩＤタグチップ２によれば、それが記憶をする情報を無線で読み出す。このため、電気光学装置１００を外装部材２００で覆ってディスプレイモジュール１に組み立ててしまった状態で、ＩＤタグチップ２が外装部材２００で覆われていた場合でも、電気光学装置１の履歴を追跡する際に外装部材２００などを取り外す必要がないなど、実施の形態１と同様な効果を奏する。
【００５４】
さらに本形態では、第１の基板１０には、その外周縁に沿って、ＩＤタグチップ２に接続するアンテナ配線３が形成されているため、アンテナを配置するための別部材が不要である。それ故、部品点数が少なくて済む。しかも、アンテナ配線３は、第１の基板１０の外周縁に沿って配置されているため、配線などといった他の構成要素を配置するのを妨げない。また、アンテナ配線３は、第１の基板１０の外周縁に沿って配置されているため、ループ面積が大きい分、アンテナ感度が高い。さらにまた、アンテナ配線３は、第１の基板１０の外周縁で第２の基板２０から露出しているので、第２の基板２０に形成されている電極などによってシールドされてしまうこともない。さらにアンテナ配線３と重なる部位の外装部材２００の材質は少なくとも一部が非導電性であることが望ましい。あるいはアンテナ配線３の少なくとも一部は外装部材２００によって覆われていない構成としても良い。このような構成により、アンテナの感度を低下させることがない。
【００５５】
［実施の形態２の変形例］
なお、アンテナ配線３については、第１の基板１０に対して金属膜のパターニングにより形成してもよいが、線材を配置してもよい。また、第２の基板２０の側に配置してもよい。
【００５６】
［実施の形態３］
図４（Ａ）、（Ｂ）は、本発明の実施の形態３に係るディスプレイモジュールの平面的な構成を模式的に示す説明図、およびその縦断面を模式的に示す説明図である。
【００５７】
図４（Ａ）、（Ｂ）において、本形態のディスプレイモジュール１も、実施の形態１と同様、電気光学装置１００が外装部材２００で覆われた構造になっている。外装部材２００の内側には、電気光学装置１００とバックライト装置６０とが重ねて配置されており、電気光学装置１００で表示された画像は、外装部材２００の上面開口２１０から見ることができる。
【００５８】
電気光学装置１００は、透明な第１の基板１０と第２の基板２０とを対向させて貼り合わせたパネル構造を備えており、第１の基板１０の第２の基板２０からの張り出し領域１１において、第２の基板２０が位置する表面側には、可撓性基板３１、３２、３３が接続されている。また、第１の基板１０には、第１の基板１０の製造履歴を表す二次元バーコード５０が付されている。
【００５９】
また、本形態では、可撓性基板３１には、無線式のＩＤタグチップ２が実装され、かつ、この可撓性基板３１には、アンテナ配線３が形成されている。ここで、ＩＤタグチップ２には、ディスプレイモジュール１としての個別識別情報に加えて、二次元コード５０が表す識別番号の一部の情報も記録されている。
【００６０】
このように構成したディスプレイモジュール１では、外装部材２００の内側に無線式のＩＤタグチップ２が配置されており、このＩＤタグチップ２によれば、それが記憶をする情報を無線で読み出す。このため、電気光学装置１００を外装部材２００で覆ってディスプレイモジュール１に組み立ててしまった状態で、ＩＤタグチップ２が外装部材２００で覆われていた場合でも、電気光学装置１の履歴を追跡する際に外装部材２００などを取り外す必要がないなど、実施の形態１と同様な効果を奏する。
【００６１】
さらに本形態では、第１の基板１０に接続された可撓性基板３１にアンテナ配線３が形成したため、アンテナを配置するための専用の別部材が不要である。それ故、部品点数が少なくて済む。
【００６２】
しかも、アンテナ配線３は、可撓性基板３１が折り曲げられることによって、電気光学装置１００のやや裏面側に位置しているため、外装部材２００内にコンパクトに配置できる。
【００６３】
［その他の実施の形態］
なお、上記形態では、第１の基板１０の張り出し領域１１に対して、駆動用ＩＣチップが搭載された可撓性基板３１（ＴＡＢ）を接続したが、第１の基板１０に対して、ＴＦＴによって駆動回路が形成された電気光学装置に本発明を適用してもよい。
【００６４】
また、第１の基板１０の張り出し領域１１に対して駆動用ＩＣチップがＣＯＧ実装された電気光学装置１に本発明を適用してもよい。この場合、駆動用ＩＣチップ、およびＩＤタグチップ２の双方を同一の樹脂で被覆、保護すればよい。
【００６５】
また、第１の基板１０に対して、ＴＦＴによって駆動回路が形成された電気光学装置１、あるいは第１の基板１０の張り出し領域１１に対して駆動用ＩＣチップがＣＯＧ実装された電気光学装置１のいずれにおいても、可撓性基板が接続されるので、この可撓性基板にＩＤタグチップ２を実装してもよい。
【００６６】
また、上記形態では、電気光学装置１００として、ＴＦＴアクティブマトリクス型液晶装置を用いた例であったが、その他の液晶装置を用いたディスプレイモジュールに本発明を適用してもよい。
【００６７】
また、液晶装置に限らず、図５を参照して以下に説明するエレクトロルミネッセンス表示装置の他、プラズマディスプレイ、フィールドエミッションディスプレイなどといった電気光学装置を用いたディスプレイモジュール１に本発明を適用してもよい。
【００６８】
図５は、電荷注入型の有機薄膜エレクトロルミネセンス素子を用いたアクティブマトリクス型電気光学装置のブロック図である。
【００６９】
図５に示す電気光学装置１００ｐ（フラットディスプレイ用電気光学装置）は、有機半導体膜に駆動電流が流れることによって発光するＥＬ（エレクトロルミネッセンス）素子、またはＬＥＤ（発光ダイオード）素子などの発光素子をＴＦＴで駆動制御するアクティブマトリクス型の表示装置であり、このタイプの電気光学装置に用いられる発光素子はいずれも自己発光するため、バックライトを必要とせず、また、視野角依存性が少ないなどの利点がある。
【００７０】
ここに示す電気光学装置１００ｐでは、ＴＦＴアレイ基板１０ｐ上に、複数の走査線３ｐと、走査線３ｐの延設方向に対して交差する方向に延設された複数のデータ線６ｐと、これらのデータ線６ｐに並列する複数の共通給電線２３ｐと、データ線６ｐと走査線３ｐとの交差点に対応する画素領域１５ｐとが構成されている。データ線６ｐに対しては、シフトレジスタ、レベルシフタ、ビデオライン、アナログスイッチを備えるデータ側駆動回路１０１ｐが構成されている。走査線３ｐに対しては、シフトレジスタおよびレベルシフタを備える走査側駆動回路１０４ｐが構成されている。
【００７１】
また、画素領域１５ｐの各々には、走査線３ｐを介して走査信号がゲート電極に供給される第１のＴＦＴ３１ｐと、この第１のＴＦＴ３１ｐを介してデータ線６ｐから供給される画像信号を保持する保持容量３３ｐと、この保持容量３３ｐによって保持された画像信号がゲート電極に供給される第２のＴＦＴ３２ｐと、第２のＴＦＴ３２ｐを介して共通給電線２３ｐに電気的に接続したときに共通給電線２３ｐから駆動電流が流れ込む発光素子４０ｐとが構成されている。
【００７２】
このような電気光学装置１００ｐでは、保持容量３３ｐが、第１のＴＦＴ３１ｐを介してデータ線６ｐから供給される画像信号を保持するので、第１のＴＦＴ３１ｐがオフになっても、第２のＴＦＴ３２ｐのゲート電極３１ｐは画像信号に相当する電位に保持される。それ故、発光素子４０ｐには共通給電線２３ｐから駆動電流が流れ続けるので、発光素子４０ｐは発光し続け、画像を表示する。
【００７３】
またさらに、特にポリシリコン薄膜トランジスタを第１の基板上に形成して画素を駆動するポリシリコンＴＦＴ基板を用いた液晶装置やエレクトロルミネッセンス表示装置などの場合、ＩＤタグ機能を有した回路自体を第１の基板上に形成しても良い。この場合、より安価にＩＤタグ機能を付加できる上に、第１の基板の製造工程が終わった時点で情報の読み書きが可能であるという利点も有する。
【００７４】
［電子機器への適用］
次に、本発明を適用した電気光学装置１００、１００ｐ、およびディスプレイモジュール１を備えた電子機器の一例を、図６（Ａ）、（Ｂ）を参照して説明する。
【００７５】
図６（Ａ）、（Ｂ）はそれぞれ、本発明に係る電気光学装置、およびディスプレイモジュールを用いた電子機器の一例としてのモバイル型のパーソナルコンピュータの説明図、および携帯電話機の説明図である。
【００７６】
本発明を適用した電気光学装置、およびディスプレイモジュールは、ディスプレイモジュールとして、投射型液晶表示装置（液晶プロジェクタ）、マルチメディア対応のパーソナルコンピュータ（ＰＣ）、およびエンジニアリング・ワークステーション（ＥＷＳ）、ページャ、あるいは携帯電話、ワードプロセッサ、テレビ、ビューファインダ型またはモニタ直視型のビデオテープレコーダ、電子手帳、電子卓上計算機、カーナビゲーション装置、ＰＯＳ端末、タッチパネルなどの電子機器に搭載される。例えば、図６（Ａ）に示すように、パーソナルコンピュータ１８０は、キーボード１８１を備えた本体部１８２と、表示ユニット１８３とを有する。表示ユニット１８３は、前述した電気光学装置１００、１００ｐ（ディスプレイモジュール１）を含んで構成される。また、図６（Ｂ）に示すように、携帯電話機１９０は、複数の操作ボタン１９１と、前述した電気光学装置１００、１００ｐ（ディスプレイモジュール１）からなる表示部とを有している。
【産業上の利用可能性】
【００７７】
本発明では、外装部材の内側に無線式のＩＤタグ機能を有する回路が配置されており、このＩＤタグ機能を有する回路によれば、それが記憶をする情報を無線で読み出す。このため、電気光学装置を外装部材で覆ってディスプレイモジュールに組み立ててしまった状態でも、電気光学装置の履歴を追跡する際、外装部材などを取り外す必要がない。また、拡大光学系を備えた設備が不要であり、かつ、短時間で情報を読み取ることができる。このため、ディスプレイモジュールを組み立てた後、特定の履歴のものを選別するなどといった作業も容易に、かつ、効率よく行うことができる。また、ＩＤタグチップであれば、電気光学装置自身に限らず、電気光学装置に接続した可撓性基板上にも実装できるなど、配置箇所への制約が小さい。それ故、電気光学装置の画像を表示する領域の外周部分（額縁）が狭くなった場合でも、ＩＤタグチップであれば、ディスプレイモジュール内に搭載することができる。
【図面の簡単な説明】
【００７８】
【図１】（Ａ）、（Ｂ）は、本発明の実施の形態１に係るディスプレイモジュールの平面的な構成を模式的に示す説明図、およびその縦断面を模式的に示す説明図である。
【図２】本形態のディスプレイモジュールに用いた電気光学装置（液晶装置）の画像表示領域を構成するためにマトリクス状に形成された複数の画素における各種素子、配線などの等価回路図である。
【図３】（Ａ）、（Ｂ）は、本発明の実施の形態２に係るディスプレイモジュールの平面的な構成を模式的に示す説明図、およびその縦断面を模式的に示す説明図である。
【図４】（Ａ）、（Ｂ）は、本発明の実施の形態３に係るディスプレイモジュールの平面的な構成を模式的に示す説明図、およびその縦断面を模式的に示す説明図である。
【図５】電荷注入型の有機薄膜エレクトロルミネセンス素子を用いたアクティブマトリクス型電気光学装置のブロック図である。
【図６】（Ａ）、（Ｂ）は、本発明を適用した電気光学装置を搭載した電子機器の説明図である。
【図７】（Ａ）、（Ｂ）は、従来のディスプレイモジュールの平面的な構成を模式的に示す説明図、およびその縦断面を模式的に示す説明図である。
【図８】二次元バーコードの形成方法を示す説明図である。
【符号の説明】
【００７９】
１  ディスプレイモジュール、２  ＩＤタグチップ、３  アンテナ配線、４、３１、３２、３３  可撓性基板、５  保護用樹脂、１０  第１の基板、２０  第２の基板、５０  二次元バーコード、６０  バックライト装置、１００、１００ｐ  電気光学装置（フラットディスプレイ用電気光学装置）、２００  外装部材
【図１】
2005062628.tif 000003
【図２】
2005062628.tif 000004
【図３】
2005062628.tif 000005
【図４】
2005062628.tif 000006
【図５】
2005062628.tif 000007
【図６】
2005062628.tif 000008
【図７】
2005062628.tif 000009
【図８】
2005062628.tif 000010